【手続補正書】
【提出日】平成18年1月17日(2006.1.17)
【手続補正１】
【補正対象書類名】明細書
【補正対象項目名】発明の名称
【補正方法】変更
【補正の内容】
【発明の名称】画像処理システム
【手続補正２】
【補正対象書類名】明細書
【補正対象項目名】特許請求の範囲
【補正方法】変更
【補正の内容】
【特許請求の範囲】
【請求項１】  入力された画像データに基づく画像を出力するマスタ機およびスレーブ機をピアツーピアに接続した画像処理システムにおいて、
少なくとも前記マスタ機との間で通信自在なユーザ端末を特定する端末特定情報を入力する端末情報入力手段と、
前記端末情報入力手段により入力された前記端末特定情報とともに前記画像データが前記マスタ機に入力された場合に、このマスタ機単独で当該前記画像データの出力が可能であるか否かを判断する連結可否判断手段と、
前記連結可否判断手段によって前記マスタ機単独での前記画像データの出力が不可能であると判断した場合に、前記マスタ機に入力された前記画像データの少なくとも一部を連結画像データとして前記スレーブ機に出力させる連結出力手段と、
前記連結出力手段によって前記連結画像データを出力した前記スレーブ機を特定するスレーブ機特定情報を少なくとも含むスレーブ機情報を取得するスレーブ機情報取得手段と、
前記スレーブ機情報取得手段によって取得された前記スレーブ機情報を少なくとも含む出力先情報を、前記端末情報入力手段により入力された前記端末特定情報によって特定される前記ユーザ端末に出力する出力先案内手段と、
を具備することを特徴とする画像処理システム。
【請求項２】  前記ユーザ端末は公衆回線を介して前記マスタ機に無線接続される移動通信端末であり、前記出力先案内手段は公衆回線を介して前記出力先情報を出力することを特徴とする請求項１記載の画像処理システム。
【請求項３】  前記移動通信端末は携帯電話であり、前記端末情報入力手段により入力される前記端末特定情報は携帯電話番号であることを特徴とする請求項２記載の画像処理システム。
【請求項４】  前記移動通信端末は自身を特定するメールアドレスとこのメールアドレスに送信された情報を表示する表示部とを有し、前記端末情報入力手段により入力される前記端末特定情報は前記メールアドレスであることを特徴とする請求項２記載の画像処理システム。
【請求項５】  前記端末特定情報と前記端末特定情報を識別する識別情報とを対応付けて記憶する端末特定情報記憶手段を具備し、
前記特定情報入力手段は、前記端末特定情報記憶手段によって記憶される前記識別情報から選択された一の前記識別情報に対応する前記端末特定情報を入力することを特徴とする請求項２、３、または４記載の画像処理システム。
【請求項６】  前記スレーブ機情報取得手段は、前記連結出力手段によって出力した前記連結画像データの出力順序を示す出力順序情報を含む前記スレーブ機情報を取得することを特徴とする請求項１ないし５のいずれか一に記載の画像処理システム。
【請求項７】  前記スレーブ機情報取得手段は、前記連結出力手段によって前記連結画像データを出力した前記スレーブ機の位置を特定する位置特定情報を含む前記スレーブ機情報を取得することを特徴とする請求項１ないし５のいずれか一に記載の画像処理システム。
【請求項８】  前記スレーブ機情報取得手段は、前記連結出力手段によって前記連結画像データを出力した前記スレーブ機の動作状態を示す動作情報を含む前記スレーブ機情報を取得することを特徴とする請求項１ないし５のいずれか一に記載の画像処理システム。
【手続補正３】
【補正対象書類名】明細書
【補正対象項目名】０００１
【補正方法】変更
【補正の内容】
【０００１】
【発明の属する技術分野】
本発明は、画像処理システムに関する。
【手続補正４】
【補正対象書類名】明細書
【補正対象項目名】０００７
【補正方法】変更
【補正の内容】
【０００７】
本発明は、最初に画像データを入力したマスタ機から離れた場所でも、当該画像データの一部を出力したスレーブ機を案内することができる画像処理システムを得ることを目的とする。
【手続補正５】
【補正対象書類名】明細書
【補正対象項目名】０００８
【補正方法】変更
【補正の内容】
【０００８】
本発明は、ユーザの居場所に左右されることなく、最初に画像データを入力したマスタ機から離れた場所でも、当該画像データの一部を出力したスレーブ機を案内することができる画像処理システムを得ることを目的とする。
【手続補正６】
【補正対象書類名】明細書
【補正対象項目名】０００９
【補正方法】変更
【補正の内容】
【０００９】
本発明は、連結画像形成動作に際して、スレーブ機でジャム等が発生した場合にスムーズに対応することができる画像処理システムを得ることを目的とする。
【手続補正７】
【補正対象書類名】明細書
【補正対象項目名】００１０
【補正方法】変更
【補正の内容】
【００１０】
【課題を解決するための手段】
請求項１記載の発明の画像処理システムは、入力された画像データに基づく画像を出力するマスタ機およびスレーブ機をピアツーピアに接続した画像処理システムにおいて、少なくとも前記マスタ機との間で通信自在なユーザ端末を特定する端末特定情報を入力する端末情報入力手段と、前記端末情報入力手段により入力された前記端末特定情報とともに前記画像データが前記マスタ機に入力された場合に、このマスタ機単独で当該前記画像データの出力が可能であるか否かを判断する連結可否判断手段と、前記連結可否判断手段によって前記マスタ機単独での前記画像データの出力が不可能であると判断した場合に、前記マスタ機に入力された前記画像データの少なくとも一部を連結画像データとして前記スレーブ機に出力させる連結出力手段と、前記連結出力手段によって前記連結画像データを出力した前記スレーブ機を特定するスレーブ機特定情報を少なくとも含むスレーブ機情報を取得するスレーブ機情報取得手段と、前記スレーブ機情報取得手段によって取得された前記スレーブ機情報を少なくとも含む出力先情報を、前記端末情報入力手段により入力された前記端末特定情報によって特定される前記ユーザ端末に出力する出力先案内手段と、を具備する。
【手続補正８】
【補正対象書類名】明細書
【補正対象項目名】００１１
【補正方法】変更
【補正の内容】
【００１１】
したがって、端末情報入力手段によって入力された端末特定情報とともに画像データがマスタ機に入力された場合には、このマスタ機単独で当該画像データの出力が可能であるか否かが連結可否判断手段によって判断され、マスタ機単独での画像データの出力が不可能であると判断された場合には、マスタ機に入力された画像データの少なくとも一部が連結画像データとされて連結出力手段によってスレーブ機で出力され、連結画像データを出力したスレーブ機を特定するスレーブ機特定情報を少なくとも含むスレーブ機情報がスレーブ機情報取得手段によって取得される。そして、出力先案内手段によって、取得されたスレーブ機情報を少なくとも含む出力先情報が、端末情報入力手段によって入力された端末特定情報によって特定されるユーザ端末に出力される。
【手続補正９】
【補正対象書類名】明細書
【補正対象項目名】００１２
【補正方法】変更
【補正の内容】
【００１２】
請求項２記載の発明は、請求項１記載の画像処理システムにおいて、前記ユーザ端末は公衆回線を介して前記マスタ機に無線接続される移動通信端末であり、前記出力先案内手段は公衆回線を介して前記出力先情報を出力する。
【手続補正１０】
【補正対象書類名】明細書
【補正対象項目名】００１４
【補正方法】変更
【補正の内容】
【００１４】
請求項３記載の発明は、請求項２記載の画像処理システムにおいて、前記移動通信端末は携帯電話であり、前記端末情報入力手段により入力される前記端末特定情報は携帯電話番号である。
【手続補正１１】
【補正対象書類名】明細書
【補正対象項目名】００１６
【補正方法】変更
【補正の内容】
【００１６】
請求項４記載の発明は、請求項２記載の画像処理システムにおいて、前記移動通信端末は自身を特定するメールアドレスとこのメールアドレスに送信された情報を表示する表示部とを有し、前記端末情報入力手段により入力される前記端末特定情報は前記メールアドレスである。
【手続補正１２】
【補正対象書類名】明細書
【補正対象項目名】００１８
【補正方法】変更
【補正の内容】
【００１８】
請求項５記載の発明は、請求項２、３、または４記載の画像処理システムにおいて、前記端末特定情報と前記端末特定情報を識別する識別情報とを対応付けて記憶する端末特定情報記憶手段を具備し、前記特定情報入力手段は、前記端末特定情報記憶手段によって記憶される前記識別情報から選択された一の前記識別情報に対応する前記端末特定情報を入力する。
【手続補正１３】
【補正対象書類名】明細書
【補正対象項目名】００２０
【補正方法】変更
【補正の内容】
【００２０】
請求項６記載の発明は、請求項１ないし５のいずれか一に記載の画像処理システムにおいて、前記スレーブ機情報取得手段は、前記連結出力手段によって出力した前記連結画像データの出力順序を示す出力順序情報を含む前記スレーブ機情報を取得する。
【手続補正１４】
【補正対象書類名】明細書
【補正対象項目名】００２１
【補正方法】変更
【補正の内容】
【００２１】
したがって、スレーブ機情報取得手段によって、連結出力手段によって出力された画像データの出力順序を示す出力順序情報を含むスレーブ機情報が取得される。
【手続補正１５】
【補正対象書類名】明細書
【補正対象項目名】００２２
【補正方法】変更
【補正の内容】
【００２２】
請求項７記載の発明は、請求項１ないし５のいずれか一に記載の画像処理システムにおいて、前記スレーブ機情報取得手段は、前記連結出力手段によって前記連結画像データを出力した前記スレーブ機の位置を特定する位置特定情報を含む前記スレーブ機情報を取得する。
【手続補正１６】
【補正対象書類名】明細書
【補正対象項目名】００２３
【補正方法】変更
【補正の内容】
【００２３】
したがって、スレーブ機情報取得手段によって、連結画像データを出力したスレーブ機の位置を特定する位置特定情報を含むスレーブ機情報が取得される。
【手続補正１７】
【補正対象書類名】明細書
【補正対象項目名】００２４
【補正方法】変更
【補正の内容】
【００２４】
請求項８記載の発明は、請求項１ないし５のいずれか一に記載の画像処理システムにおいて、前記スレーブ機情報取得手段は、前記連結出力手段によって前記連結画像データを出力した前記スレーブ機の動作状態を示す動作情報を含む前記スレーブ機情報を取得する。
【手続補正１８】
【補正対象書類名】明細書
【補正対象項目名】００２５
【補正方法】変更
【補正の内容】
【００２５】
したがって、スレーブ機情報取得手段によって、連結画像データを出力したスレーブ機の動作状態を示す動作情報を含むスレーブ機情報が取得される。
【手続補正１９】
【補正対象書類名】明細書
【補正対象項目名】００６２
【補正方法】変更
【補正の内容】
【００６２】
ここで、図７は、連結データの転送先となるスレーブ機２Ｂで実行されるスレーブプリント処理を概略的に示すフローチャートである。本実施の形態では、スレーブプリント処理の実行によって、連結出力手段としての機能が実行される。スレーブプリント処理は、まず、マスタ機２Ａから転送された連結データを受信したと判断するまで待機しており(Ｓ２０のＮ)、マスタ機２Ａから転送された連結データを受信したと判断した場合には(Ｓ２０のＹ)、受信した連結データに基づいて、連結コピーの要否を判断する(Ｓ２１)。ステップＳ２１では、図６のステップＳ４と同様に、合計プリント枚数に基づいて、連結コピーの要否を判断する。
【手続補正２０】
【補正対象書類名】明細書
【補正対象項目名】００８３
【補正方法】変更
【補正の内容】
【００８３】
【発明の効果】
請求項１記載の発明の画像処理システムによれば、端末情報入力手段によって入力された端末特定情報とともに画像データがマスタ機に入力された場合に、このマスタ機単独で当該画像データの出力が可能であるか否かを判断し、マスタ機単独での画像データの出力が不可能である場合に、マスタ機に入力された画像データの少なくとも一部を連結画像データとしてスレーブ機で出力させ、このスレーブ機を特定するスレーブ機特定情報を少なくとも含むスレーブ機情報を少なくとも含む出力先情報を、端末情報入力手段によって入力された端末特定情報によって特定されるユーザ端末に出力することにより、最初に画像データを入力したマスタ機から離れた場所でも、ユーザ端末に出力される出力先情報に基づいて、連結画像データを出力したスレーブ機を案内することができる。
【手続補正２１】
【補正対象書類名】明細書
【補正対象項目名】００８４
【補正方法】変更
【補正の内容】
【００８４】
請求項２記載の発明によれば、請求項１記載の画像処理システムにおいて、公衆回線を介してマスタ機に無線接続される移動通信端末をユーザ端末として、この移動通信端末に対して公衆回線を介して出力先情報を無線出力することにより、公衆回線網が存在する場所であれば、ユーザの居場所に左右されることなく、ユーザ端末に出力される出力先情報に基づいて、連結画像データを出力したスレーブ機を案内することができる。
【手続補正２２】
【補正対象書類名】明細書
【補正対象項目名】００８５
【補正方法】変更
【補正の内容】
【００８５】
請求項３記載の発明によれば、請求項２記載の画像処理システムにおいて、公衆回線を介してマスタ機に無線接続される移動通信端末である携帯電話に対して、入力された携帯電話番号によって確立された回線を介して、出力先情報を無線出力することにより、携帯電話の基地局からの電波が届く範囲内であれば、ユーザの居場所に左右されることなく、ユーザ端末に出力される出力先情報に基づいて、連結画像データを出力したスレーブ機を案内することができる。
【手続補正２３】
【補正対象書類名】明細書
【補正対象項目名】００８６
【補正方法】変更
【補正の内容】
【００８６】
請求項４記載の発明によれば、請求項２記載の画像処理システムにおいて、自身を特定するメールアドレスとこのメールアドレスに送信された情報を表示する表示部とを有する移動通信端末に対して、公衆回線を介して無線出力させた出力先情報を表示部に表示させることにより、移動通信端末の基地局からの電波が届く範囲内であれば、ユーザの居場所に左右されることなく、ユーザ端末に出力される出力先情報に基づいて、連結画像データを出力したスレーブ機を案内することができる。
【手続補正２４】
【補正対象書類名】明細書
【補正対象項目名】００８７
【補正方法】変更
【補正の内容】
【００８７】
請求項５記載の発明によれば、請求項２、３、または４記載の画像処理システムにおいて、端末特定情報と端末特定情報を識別する識別情報とを対応付けて記憶しておくことで、端末特定情報の入力に際しては、一の識別情報を選択することで、この識別情報に対応する端末特定情報を入力することが可能になるので、例えば、複数桁の電話番号やメールアドレスを端末特定情報として入力する場合と比較して、電話番号の桁数やメールアドレスの桁数の多さ(長さ)に拘わらず、端末特定情報の入力操作の容易化を図ることができる。
【手続補正２５】
【補正対象書類名】明細書
【補正対象項目名】００８８
【補正方法】変更
【補正の内容】
【００８８】
請求項６記載の発明によれば、請求項１ないし５のいずれか一に記載の画像処理システムにおいて、連結出力手段によって出力させた画像データの出力順序を示す出力順序情報を含むスレーブ機情報を取得することにより、ユーザ端末に出力される出力先情報に基づいて、当該画像データの一部を出力したスレーブ機とともに画像データの出力順序情報を案内することができる。
【手続補正２６】
【補正対象書類名】明細書
【補正対象項目名】００８９
【補正方法】変更
【補正の内容】
【００８９】
請求項７記載の発明によれば、請求項１ないし５のいずれか一に記載の画像処理システムにおいて、連結出力手段によって出力させたスレーブ機の位置を特定する位置特定情報を含むスレーブ機情報を取得することにより、ユーザ端末に出力される出力先情報に基づいて、当該画像データの一部を出力したスレーブ機とともにこのスレーブ機の位置を案内することができるので、複数箇所に出力されたプリント出力結果の回収作業の容易化を図ることができる。
【手続補正２７】
【補正対象書類名】明細書
【補正対象項目名】００９０
【補正方法】変更
【補正の内容】
【００９０】
請求項８記載の発明によれば、請求項１ないし５のいずれか一に記載の画像処理システムにおいて、連結出力手段によって画像データを出力したスレーブ機の動作状態を示す動作情報を含むスレーブ機情報を取得することにより、ユーザ端末に出力される出力先情報に基づいて、スレーブ機特定情報とともにスレーブ機の動作情報を案内することができるので、例えば、スレーブ機でジャムが発生した場合にもスムーズに対応することができる。
【手続補正２８】
【補正対象書類名】明細書
【補正対象項目名】符号の説明
【補正方法】変更
【補正の内容】
【符号の説明】
１００      画像処理システム
２Ａ      マスタ機
２Ｂ      スレーブ機